(57)【要約】【課題】  優れた快適性が感じられる異なる硬さを有するブラジャーのカップを提供する。【解決手段】  外布体と、該外布体の一側に設けられるコットン外層と、該外布体に対してコットン外層の相反側に設けられるコットン内側と、該コットン外層に対してコットン内層の相反側に設けられる内布体とを有するブラジャーのカップであって、該コットン内層はプレート状コットンからなり、該コットン外層は該プレート状コットンより密度の高いプレート状コットンからなることを特徴とする。【選択図】  図１
0003141183.tif 000002
【実用新案登録請求の範囲】
【請求項１】
外布体と、該外布体の一側に設けられるコットン外層と、該外布体に対してコットン外層の相反側に設けられるコットン内側と、該コットン外層に対してコットン内層の相反側に設けられる内布体とを有するブラジャーのカップであって、
該コットン内層はプレート状コットンからなり、該コットン外層は該プレート状コットンより密度の高いプレート状コットンからなることを特徴とする異なる硬さを有するブラジャーのカップ。
【請求項２】
前記外布体は、硬質の針織布であることを特徴とする請求項１に記載の異なる硬さを有するブラジャーのカップ。
【請求項３】
前記内布体は、軟質の針織布であることを特徴とする請求項１に記載の異なる硬さを有するブラジャーのカップ。
【考案の詳細な説明】
【技術分野】
【０００１】
本考案は、ブラジャーのカップに関するものであり、特に優れた快適性が感じられる異なる硬さを有するブラジャーのカップに関するものである。
【背景技術】
【０００２】
従来のブラジャーのカップは、例えば台湾実用新案公告第Ｍ３０６７８５号の「ブラジャーのカップ構造」のように、一対のカップを有し、該カップの外側に上方へ延伸する補助包覆部が設けられると共に、下側に支持部が設けられ、該支持部の両側に伸縮性を有する帯部が設けられ、該帯部と補助包覆部の間に肩つりひもが設けられる。
【考案の開示】
【考案が解決しようとする課題】
【０００３】
しかしながら、前記従来のブラジャーのカップ及び市販のブラジャーのカップは、均一の硬さを有し、異なる形を有するバストに対して好適な支持効果を提供できず、更に、肌の不快感を起こり易いという問題がある。
【０００４】
そこで、案出されたのが本考案であって、優れた快適性が感じられる異なる硬さを有するブラジャーのカップを提供することを目的としている。
【課題を解決するための手段】
【０００５】
本願の請求項１の考案は、外布体と、該外布体の一側に設けられるコットン外層と、該外布体に対してコットン外層の相反側に設けられるコットン内側と、該コットン外層に対してコットン内層の相反側に設けられる内布体とを有するブラジャーのカップであって、
該コットン内層はプレート状コットンからなり、該コットン外層は該プレート状コットンより密度の高いプレート状コットンからなることを特徴とする異なる硬さを有するブラジャーのカップ、を提供する。
【０００６】
本願の請求項２の考案は、前記外布体は、硬質の針織布であることを特徴とする請求項１に記載の異なる硬さを有するブラジャーのカップ、を提供する。
【０００７】
本願の請求項３の考案は、前記内布体は、軟質の針織布であることを特徴とする請求項１に記載の異なる硬さを有するブラジャーのカップ、を提供する。
【考案の効果】
【０００８】
本考案は上記の課題を解決するものであり、外布体、コットン外層、コットン内層及び内布体からなり、該コットン外層とコットン内層が夫々異なる密度を有することにより、製造したブラジャーのカップは、異なる硬さを有するので、着る時に優れた快適性が感じられる。
【考案を実施するための最良の形態】
【０００９】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１０】
図１は本考案に係る異なる硬さを有するブラジャーのカップが構成される素材の分解斜視図であり、図２は本考案に係る異なる硬さを有するブラジャーのカップのプレート状コットンの斜視図であり、図３は本考案に係る異なる硬さを有するブラジャーのカップにおいて、異なる厚さを有するプレート状コットンを均一の厚さに圧縮することにより、異なる硬さの達成状態を示す参考図であり、ａは厚いプレート状コットンの圧縮状態を示し、ｂは薄いプレート状コットンの圧縮状態を示し、図４は本考案に係る異なる硬さを有するブラジャーのカップが構成される素材の断面図であり、図５は本考案に係る異なる硬さを有するブラジャーのカップの断面図である。
【００１１】
図１に示すように、本考案に関わる異なる硬さを有するブラジャーのカップ（１）を構成する素材は、外布体（１４）と、該外布体（１４）の一側に設けられるコットン外層（１２）と、該外布体（１４）に対してコットン外層（１２）の相反側に設けられるコットン内側（１１）と、該コットン外層（１２）に対してコットン内層（１１）の相反側に設けられる内布体（１０）とを有し、該コットン内層（１１）はプレート状コットン（１１１）からなり、該コットン外層（１２）は該プレート状コットン（１１１）より密度の高いプレート状コットン（１２１）からなる。該コットン外層（１２）は圧縮加工前の厚さがコットン内層（１１）より高いが、圧縮加工でコットン外層（１２）とコットン内層（１１）の厚さを均一になることにより、コットン内層（１１）とコットン外層（１２）が夫々異なる密度と硬さを有する。
【００１２】
又、本考案に関わる異なる硬さを有するブラジャーのカップ（１）における内布体（１３）と外布体（１４）は針織布であり、該内布体（１３）は通気性と柔らかい特徴を有する軟質の針織布であることにより、肌と接触すると、優れた快適性が感じられる。一方、該外布体（１４）は所定の形を維持できる硬質の針織布であるので、バストの優れた形を維持することができる。
【００１３】
図１及び図２に示すように、本考案に関わる異なる硬さを有するブラジャーのカップ（１）におけるコットン内層（１１）とコットン外層（１２）は、夫々プレート状コットン（１１１）（１２１）からなるので、柔らかい特長を有する。
【００１４】
又、図３ａ及び図３ｂに示すように、該コットン外層（１２）は圧縮加工前の厚さがコットン内層（１１）より高いが、圧縮加工でコットン外層（１２）とコットン内層（１１）の厚さを均一になることにより、コットン内層（１１）とコットン外層（１２）が夫々異なる密度と硬さを有する。
【００１５】
図４及び図５に示すように、本考案に関わる異なる硬さを有するブラジャーのカップ（１）の素材は、外布体（１４）、コットン外層（１２）、コットン内層（１１）及び内布体（１３）からなる積層構造であり、該積層構造の構成手段は、例えば接着、超音波溶接、ホットプレスなど手段を有し、積層構造になる素材はプレス作業により、ブラジャーのカップを製造する。
【産業上の利用可能性】
【００１６】
本考案は、外布体、コットン外層、コットン内層及び内布体からなるブラジャーのカップであり、該コットン外層とコットン内層が夫々異なる密度を有することにより、製造したブラジャーのカップは、異なる硬さを有するので、着る時に優れた快適性が感じられる。
【図面の簡単な説明】
【００１７】
【図１】本考案に係る異なる硬さを有するブラジャーのカップが構成される素材の分解斜視図である。
【図２】本考案に係る異なる硬さを有するブラジャーのカップのプレート状コットンの斜視図である。
【図３】本考案に係る異なる硬さを有するブラジャーのカップにおいて、異なる厚さを有するプレート状コットンを均一の厚さに圧縮することにより、異なる硬さの達成状態を示す参考図であり、ａは厚いプレート状コットンの圧縮状態を示し、ｂは薄いプレート状コットンの圧縮状態を示す。
【図４】本考案に係る異なる硬さを有するブラジャーのカップが構成される素材の断面図である。
【図５】本考案に係る異なる硬さを有するブラジャーのカップの断面図である。
【符号の説明】
【００１８】
１          カップ
１１        コットン内層
１１１      プレート状コットン
１２        コットン外層
１２１      プレート状コットン
１３        内布体
１４        外布体
【図１】
0003141183.tif 000003
【図２】
0003141183.tif 000004
【図３】
0003141183.tif 000005
【図４】
0003141183.tif 000006
【図５】
0003141183.tif 000007